(57)【要約】【課題】  液晶表示パネルからの放射ノイズに起因する、タッチパネルの位置座標誤検出を低減することができる情報処理装置を提供する。【解決手段】  抵抗膜タッチパネルと液晶表示パネルとを備える情報処理装置であって、液晶表示パネル制御回路と、抵抗膜タッチパネル制御回路とを備えている。液晶表示パネル制御回路は、液晶表示パネルの水平同期信号を生成する第１生成手段と、水平同期信号から液晶駆動電圧の極性を反転させる交流化信号を生成する第２生成手段と、水平同期信号から交流化信号が変化するタイミングを知らせるノイズ警告信号を生成する第３生成手段とを有する。抵抗膜タッチパネル制御回路は、ノイズ警告信号を受信して、ノイズ警告信号に基づいてサンプリングのタイミングを随時変化させながら位置座標を検出する検出手段を有する。【選択図】      図１
2006079405.tif 000002
【特許請求の範囲】
【請求項１】
抵抗膜タッチパネルと液晶表示パネルとを備える情報処理装置であって、
前記液晶表示パネルの水平同期信号を生成する第１生成手段と、前記水平同期信号から液晶駆動電圧の極性を反転させる交流化信号を生成する第２生成手段と、前記水平同期信号から前記交流化信号が変化するタイミングを知らせるノイズ警告信号を生成する第３生成手段とを有する液晶表示パネル制御回路と、
前記ノイズ警告信号を受信して、前記ノイズ警告信号に基づいてサンプリングのタイミングを随時変化させながら前記抵抗膜タッチパネルの位置座標を検出する検出手段を有する抵抗膜タッチパネル制御回路と、
を備えることを特徴とする情報処理装置。
【請求項２】
前記第２生成手段は、分周器により前記水平同期信号を所定の分周比に分周して前記交流化信号を生成することを特徴とする、請求項１に記載の情報処理装置。
【請求項３】
前記第３生成手段は、前記水平同期信号と、前記分周比を最大値として前記水平同期信号を受信する度に前記最大値から１まで変化する前記水平同期信号のカウント信号と、前記カウント信号が１である場合にＨｉレベルとなるカウント１信号と、前記ノイズ警告信号を１水平同期信号分だけ遅らせたノイズ警告遅延信号とにより前記ノイズ警告信号を生成することを特徴とする、請求項２に記載の情報処理装置。
【請求項４】
前記ノイズ警告信号は、前記交流化信号のレベル変化点の１水平同期信号前にＨｉレベルとなり、前記レベル変化点の１水平同期信号後にＬｏｗレベルとなることを特徴とする、請求項３に記載の情報処理装置。
【請求項５】
前記検出手段は、前記ノイズ警告信号のＨｉレベルと、前記サンプリングのタイミングとが重なった場合に、前記ノイズ警告信号がＬｏｗレベルになるまで前記サンプリングの実行を延期することを特徴とする、請求項４に記載の情報処理装置。
【請求項６】
抵抗膜タッチパネルと液晶表示パネルとを備える情報処理装置であって、
前記液晶表示パネルの水平同期信号を生成する第１生成手段を有する液晶表示パネル制御回路と、
前記水平同期信号から液晶駆動電圧の極性を反転させる交流化信号を生成する第２生成手段と、前記水平同期信号から前記交流化信号が変化するタイミングを知らせるノイズ警告信号を生成する第３生成手段とを有する液晶表示パネルと、
前記ノイズ警告信号を受信して、前記ノイズ警告信号に基づいてサンプリングのタイミングを随時変化させながら前記抵抗膜タッチパネルの位置座標を検出する検出手段を有する抵抗膜タッチパネル制御回路と、
を備えることを特徴とする情報処理装置。
【請求項７】
前記第２生成手段は、分周器により前記水平同期信号を所定の分周比に分周して前記交流化信号を生成することを特徴とする、請求項６に記載の情報処理装置。
【請求項８】
前記第３生成手段は、前記水平同期信号と、前記分周比を最大値として前記水平同期信号を受信する度に前記最大値から１まで変化する前記水平同期信号のカウント信号と、前記カウント信号が１である場合にＨｉレベルとなるカウント１信号と、前記ノイズ警告信号を１水平同期信号分だけ遅らせたノイズ警告遅延信号とにより前記ノイズ警告信号を生成することを特徴とする、請求項７に記載の情報処理装置。
【請求項９】
前記ノイズ警告信号は、前記交流化信号のレベル変化点の１水平同期信号前にＨｉレベルとなり、前記レベル変化点の１水平同期信号後にＬｏｗレベルとなることを特徴とする、請求項８に記載の情報処理装置。
【請求項１０】
前記検出手段は、前記ノイズ警告信号のＨｉレベルと、前記サンプリングのタイミングとが重なった場合に、前記ノイズ警告信号がＬｏｗレベルになるまで前記サンプリングの実行を延期することを特徴とする、請求項９に記載の情報処理装置。
【請求項１１】
抵抗膜タッチパネルと液晶表示パネルとを備える情報処理装置の制御方法であって、
前記液晶表示パネルの水平同期信号を生成するステップと、
前記水平同期信号から液晶駆動電圧の極性を反転させる交流化信号を生成するステップと、
前記水平同期信号から前記交流化信号が変化するタイミングを知らせるノイズ警告信号を生成するステップと、
前記ノイズ警告信号に基づいてサンプリングのタイミングを随時変化させながら前記抵抗膜タッチパネルの位置座標を検出するステップと、
を含むことを特徴とする情報処理装置の制御方法。
【請求項１２】
前記水平同期信号を生成するステップは、分周器により前記水平同期信号を所定の分周比に分周して前記交流化信号を生成することを特徴とする、請求項１１に記載の情報処理装置の制御方法。
【請求項１３】
前記ノイズ警告信号を生成するステップは、前記水平同期信号と、前記分周比を最大値として前記水平同期信号を受信する度に前記最大値から１まで変化する前記水平同期信号のカウント信号と、前記カウント信号が１である場合にＨｉレベルとなるカウント１信号と、前記ノイズ警告信号を１水平同期信号分だけ遅らせたノイズ警告遅延信号とにより前記ノイズ警告信号を生成することを特徴とする、請求項１２に記載の情報処理装置の制御方法。
【請求項１４】
前記ノイズ警告信号は、前記交流化信号のレベル変化点の１水平同期信号前にＨｉレベルとなり、前記レベル変化点の１水平同期信号後にＬｏｗレベルとなることを特徴とする、請求項１３に記載の情報処理装置の制御方法。
【請求項１５】
前記位置座標を検出するステップは、前記ノイズ警告信号のＨｉレベルと、前記サンプリングのタイミングとが重なった場合に、前記ノイズ警告信号がＬｏｗレベルになるまで前記サンプリングの実行を延期することを特徴とする、請求項１４に記載の情報処理装置の制御方法。
【発明の詳細な説明】
【技術分野】
【０００１】
本発明は、情報処理装置及び情報処理装置の制御方法、特に、出力装置として液晶表示パネルを用い、入力装置として抵抗膜タッチパネルを用いる情報処理装置、及びその制御方法に関する。
【背景技術】
【０００２】
ＰＤＡ（Ｐｅｒｓｏｎａｌ  Ｄｉｇｉｔａｌ  Ａｓｓｉｓｔａｎｃｅ）に代表されるように、液晶表示パネルにタッチパネルを組み合わせた小型の携帯情報端末が広く実用化されている。液晶表示パネルにおいては、その駆動方式によって、ＳＴＮ（Ｓｕｐｅｒ  Ｔｗｉｓｔｅｄ  Ｎｅｍａｔｉｃ）に代表される単純マトリクス方式や、ＴＦＴ（Ｔｈｉｎ  Ｆｉｌｍ  Ｔｒａｎｓｉｓｔｏｒ）に代表されるアクティブマトリクス方式などがあるが、いずれの場合も直流電圧が長時間加えられたときの液晶の特性劣化を防止するため、液晶を制御する電圧の極性を、ある一定の周期で入れ換える反転駆動が行われている。また、タッチパネルにおいては、その動作原理によって抵抗膜式、静電容量式、光学式、超音波式などがあるが、その中でも特に抵抗膜式は、対応可能なサイズが小さく低価格であるため、携帯情報端末の入力デバイスとして幅広く応用されている。
【０００３】
図７は、液晶表示パネルに抵抗膜タッチパネルを組み合わせた従来の情報処理装置１００２のシステム概略構成図である。
情報処理装置１００２は、ＭＰＵ（Ｍｉｃｒｏ  Ｐｒｏｃｅｓｓｉｎｇ  Ｕｎｉｔ）１００と、液晶表示パネル制御回路２００と、液晶表示パネル３００と、抵抗膜タッチパネル制御回路４００と、抵抗膜タッチパネル５００とを備えている。
【０００４】
ＭＰＵ１００は、液晶表示パネル制御回路２００及び抵抗膜タッチパネル制御回路４００とシステムバスを介して接続されており、情報処理装置１００２全体の制御を司る。液晶表示パネル制御回路２００は、ＭＰＵ１００からの指令に基づいて液晶表示パネル３００を制御する。抵抗膜タッチパネル制御回路４００は、ＭＰＵ１００からの指令に基づいて抵抗膜タッチパネル５００を制御する。
【０００５】
液晶表示パネル制御回路２００は、その内部に水平同期信号生成回路２０１と、交流化信号生成回路２０２とを備えている。水平同期信号生成回路２０１で生成される水平同期信号Ｓ１は、まず、液晶表示パネル３００に入力される。水平同期信号Ｓ１の１パルスは液晶表示パネル３００の１走査線に相当する。また、水平同期信号Ｓ１は、交流化信号生成回路２０２に入力され、水平同期信号Ｓ１を基準として液晶駆動電圧の極性を反転させるための交流化信号Ｓ２が生成される。具体的には、交流化信号生成回路２０２内部の分周器にて、水平同期信号Ｓ１を所望の周波数に分周（１／ｎ倍）して交流化信号Ｓ２が生成される。上述したように、水平同期信号Ｓ１の１パルスは液晶表示パネル３００の１走査線に相当するので、例えば、水平同期信号Ｓ１をｎ分周して交流化信号Ｓ２を生成した場合には、ｎ分周された交流化信号Ｓ２によってｎ本の走査線が同時に反転駆動されることになる。分周比ｎは、例えば、ソフトウェアにより交流化信号生成回路２０２の内部レジスタに設定される。なお、図７では、説明の便宜上、液晶表示パネル制御回路２００と液晶表示パネル３００との間でやり取りされる一部の信号のみ記載している。
【０００６】
抵抗膜タッチパネル５００は、例えば、上部フィルムと下部フィルムとを備え、上部フィルムと下部フィルムの各々対向する面には、ＩＴＯ（インジウム錫酸化物）などの導電物質が成膜されている。上部フィルムと下部フィルムとは所定の間隔を有しており、指やペンなどで押圧することで互いに接触し、導電する構造となっている。上部フィルム及び下部フィルムは、互いに異なる方向、例えば、上部フィルムはＸ軸方向、下部フィルムはＹ軸方向に電極を備え、また、それぞれの電極を介して独立に電圧が印可されている。抵抗膜タッチパネル５００を押圧すると、その押圧位置に応じて印可電圧が抵抗分圧され、その抵抗分圧された電圧が座標検出電圧Ｓ４として抵抗膜タッチパネル制御回路４００に出力される。なお、座標検出電圧Ｓ４は、Ｘ軸座標とＹ軸座標とでそれぞれ独立に出力されるが、説明の便宜上、ここでは特に区別しないものとする。抵抗膜タッチパネル制御回路４００は、ＭＰＵ１００からの指令に基づいて、ある一定時間、座標検出電圧Ｓ４をサンプリングして抵抗膜タッチパネル５００の位置座標データを収集する。なお、図７では、説明の便宜上、抵抗膜タッチパネル制御回路４００と抵抗膜タッチパネル５００との間でやり取りされる一部の信号のみ記載している。
【０００７】
タッチパネルによる入力装置が、例えば、特許文献１に記載されている。特許文献１に記載のタッチパネル入力装置は、Ｘ軸座標検出用フィルムと、Ｙ軸座標検出用フィルムとで構成される抵抗膜タッチパネルを備え、また、抵抗膜タッチパネルにおけるフィルムのたわみや、併設する液晶表示パネルやＣＲＴ（Ｃａｔｈｏｄｅ  Ｒａｙ  Ｔｕｂｅ）からのノイズによる位置座標の誤検出を回避する手段を備えている。
【特許文献１】特開平１０−４００１６号公報（第２−３頁、第１、４図）
【発明の開示】
【発明が解決しようとする課題】
【０００８】
一般にタッチパネルは、ディスプレイへの直接入力装置として、液晶表示パネルなどの前面に隣接して取り付けて使用される。上述したように、液晶表示パネルでは所定の周期で液晶駆動電圧を反転させるが、この駆動電圧が反転する際に液晶表示パネルから放射ノイズが発生し、この放射ノイズが隣接したタッチパネルの座標検出電圧に重畳して位置座標の誤検出を誘発するという問題がある
図７に示す情報処理装置１００２のシステム構成においては、上述したように、液晶駆動電圧の極性が反転する際に発生する放射ノイズにより、抵抗膜タッチパネル５００の位置座標が誤検出されるという問題がある。図８は、抵抗膜タッチパネル５００の座標検出に及ぼす放射ノイズの影響を示している。一般に抵抗膜タッチパネル５００は、液晶表示パネル３００の上面に隣接して取り付けて使用される。液晶表示パネル３００では、交流化信号Ｓ２により液晶駆動電圧の極性を一定の周期で反転させている。液晶駆動電圧の極性が変化する際、すなわち、交流化信号Ｓ２のレベルが変化（Ｈｉレベル→ＬｏｗレベルまたはＬｏｗレベル→Ｈｉレベル）する際に、液晶表示パネル３００から放射ノイズＳ４ａが発生する。放射ノイズＳ４ａは、図８に示すように、抵抗膜タッチパネル５００からの座標検出電圧Ｓ４に重畳し、位置座標の誤検出を誘発する。
【０００９】
図９は、情報処理装置１００２のタイムチャートである。水平同期信号Ｓ１の１パルスは、液晶表示パネル３００の１走査線に相当する。交流化信号Ｓ２は、水平同期信号Ｓ１を分周して生成され、例えば、図９においては６分周された交流化信号Ｓ２を示している。座標検出電圧Ｓ４は、抵抗膜タッチパネル５００における位置座標データであり、座標検出電圧Ｓ４のサンプリングは、水平同期信号Ｓ１及び交流化信号Ｓ２とは非同期に所定時間繰り返し実行される。図８において説明したように、交流化信号Ｓ２のレベル変化点（矢印で示す）では放射ノイズが発生する。交流化信号Ｓ２のレベル変化点と座標検出電圧Ｓ４のサンプリングとが一致した場合、例えば、図９の座標検出電圧Ｓ４のタイムチャートにおいて矢印Ａで示すサンプリングでは、座標検出電圧Ｓ４の波形に放射ノイズＳ４ａが重畳し、本来の信号波形が変化してしまう。
【００１０】
特許文献１に記載のタッチパネル入力装置は、ノイズを除去する手段として、Ｘ軸座標及びＹ軸座標のそれぞれに対して複数回の座標データ検出を行い、この複数回の座標検出データを比較してノイズの有無を判断している。このノイズ除去方法は、不定期に発生するノイズの除去に対しては非常に有効ではあるが、液晶駆動電圧の反転に伴う放射ノイズのように、発生のタイミングが周期的、すなわち、発生が事前に予測できるノイズの除去についてはその処理時間が冗長となる。
【課題を解決するための手段】
【００１１】
本発明に係る情報処理装置は、抵抗膜タッチパネルと液晶表示パネルとを備える情報処理装置であって、液晶表示パネル制御回路と、抵抗膜タッチパネル制御回路とを備えている。液晶表示パネル制御回路は、液晶表示パネルの水平同期信号を生成する第１生成手段と、水平同期信号から液晶駆動電圧の極性を反転させる交流化信号を生成する第２生成手段と、水平同期信号から交流化信号が変化するタイミングを知らせるノイズ警告信号を生成する第３生成手段とを有する。抵抗膜タッチパネル制御回路は、ノイズ警告信号を受信して、ノイズ警告信号に基づいてサンプリングのタイミングを随時変化させながら位置座標を検出する検出手段を有する。
【発明の効果】
【００１２】
本発明によれば、交流化信号の変化点、すなわち、液晶駆動電圧の極性が反転するタイミングを検出するノイズ警告信号を生成し、そのノイズ警告信号に基づき位置座標検出のサンプリングのタイミングを随時変化させることで、液晶表示パネルから発生する放射ノイズの影響を効果的に除去できるようになる。
【発明を実施するための最良の形態】
【００１３】
（１）第１実施形態
図１は、本発明の第１実施形態に係る情報処理装置１０００のシステム概略構成図である。情報処理装置１０００は、情報処理装置１００２（図７）と同様に、ＭＰＵ１００と、液晶表示パネル制御回路２００と、液晶表示パネル３００と、抵抗膜タッチパネル制御回路４００と、抵抗膜タッチパネル５００とを備えている。なお、図１では、従来の情報処理装置１００２と同一の構成については、図７と同一の符号を付してその説明を省略する。
【００１４】
液晶表示パネル制御回路２００は、その内部に水平同期信号生成回路２０１及び交流化信号生成回路２０２に加えて、さらにノイズ警告信号生成回路２０３を備えている。水平同期信号生成回路２０１で生成される水平同期信号Ｓ１は、液晶表示パネル３００と、交流化信号生成回路２０２と、ノイズ警告信号生成回路２０３とに入力される。ノイズ警告信号生成回路２０３では、入力された水平同期信号Ｓ１を基準として、液晶駆動電圧の極性が反転するタイミング、すなわち、交流化信号Ｓ２のレベルが変化するタイミングを知らせるノイズ警告信号Ｓ３を生成し、そのノイズ警告信号Ｓ３を抵抗膜タッチパネル制御回路４００へ送信する。なお、ノイズ警告信号生成回路２０３の詳細は後で説明する。
【００１５】
図２は、情報処理装置１０００のタイムチャートである。水平同期信号Ｓ１の１パルスは、液晶表示パネル３００の１走査線に相当する。交流化信号Ｓ２は、水平同期信号Ｓ１を分周して生成され、例えば、図２においては６分周された交流化信号Ｓ２を示している。ノイズ警告信号Ｓ３は、水平同期信号Ｓ１を基準として、交流化信号Ｓ２のレベル変化点の１水平同期信号前にＨｉレベルになり、交流化信号Ｓ２のレベル変化点の１水平同期信号後にＬｏｗレベルになる。抵抗膜タッチパネル５００の位置座標データである座標検出電圧Ｓ４のサンプリングは、基本的には従来の情報処理装置１００２の場合（図９）と同様である。すなわち、座標検出電圧Ｓ４のサンプリングは、水平同期信号Ｓ１及び交流化信号Ｓ２とは非同期に所定時間繰り返し実行される。ただし、情報処理装置１０００においては、ノイズ警告信号Ｓ３のＨｉレベルと座標検出電圧Ｓ４のサンプリングのタイミングとが一致した場合、ノイズ警告信号Ｓ３がＬｏｗレベルになるまで座標検出電圧Ｓ４のサンプリングを延期する。例えば、図２の座標検出電圧Ｓ４のタイムチャートにおいて矢印Ａ及びＢで示すサンプリングは、ノイズ警告信号Ｓ３がＨｉレベルの状態に一致するため、ノイズ警告信号Ｓ３がＬｏｗレベルになるまでそのサンプリングが延期される。そして、矢印Ａのサンプリングは矢印Ａ’のタイミングで遅延実行され、矢印Ｂのサンプリングは矢印Ｂ’ のタイミングで遅延実行される。
【００１６】
図３は、抵抗膜タッチパネル制御回路４００における位置座標検出のフローチャートである。位置座標の検出は、Ｘ軸座標（ＳＴＥＰ１〜３）とＹ軸座標（ＳＴＥＰ４〜６）とでそれぞれ独立に行われる。まず、ＳＴＥＰ１において、受信したノイズ警告信号Ｓ３がＨｉレベルであるか否かを判定する。ノイズ警告信号Ｓ３がＨｉレベルであれば、液晶駆動電圧の極性反転が行われるタイミングであるため、ノイズ警告信号Ｓ３がＬｏｗレベルになるまでＸ軸座標の検出処理を行わない。一方、ノイズ警告信号Ｓ３がＬｏｗレベルであれば、ＳＴＥＰ２に進み、Ｘ軸座標の検出指令を抵抗膜タッチパネル５００に送り、Ｘ座標検出電圧Ｓ４ｘのサンプリングを行う。そして、ＳＴＥＰ３で抵抗膜タッチパネル５００からＸ座標検出電圧Ｓ４ｘを読み込み、Ｘ軸座標を検出する。次に、ＳＴＥＰ４において、受信したノイズ警告信号Ｓ３がＨｉレベルであるか否かを判定する。ノイズ警告信号Ｓ３がＨｉレベルであれば、液晶駆動電圧の極性反転が行われるタイミングであるため、ノイズ警告信号Ｓ３がＬｏｗレベルになるまでＹ軸座標の検出処理を行わない。一方、ノイズ警告信号Ｓ３がＬｏｗレベルであれば、ＳＴＥＰ５に進み、Ｙ軸座標の検出指令を抵抗膜タッチパネル５００に送り、Ｙ座標検出電圧Ｓ４ｙのサンプリングを行う。そして、ＳＴＥＰ６で抵抗膜タッチパネル５００からＹ座標検出電圧Ｓ４ｙを読み込み、Ｙ軸座標を検出する。このように、位置座標の検出に先立ってノイズ警告信号Ｓ３のレベルを確認することで、液晶駆動電圧の極性反転に伴う放射ノイズＳ４ａを効果的に回避することができるようになる。
【００１７】
次に、本発明の第１実施形態に係るノイズ警告信号生成回路２０３の詳細について説明する。図４は、ノイズ警告信号生成回路２０３の内部構成図である。ノイズ警告信号生成回路２０３は、カウンタ２０３ａと、比較器２０３ｂと、論理和回路２０３ｃと、フリップフロップ２０３ｄ及び２０３ｇと、論理積回路２０３ｅと、反転論理積回路２０３ｆと、切替器２０３ｈとを備えている。
【００１８】
カウンタ２０３ａは、水平同期信号生成回路２０１から入力される水平同期信号Ｓ１をカウントする。具体的には、後述する比較器２０３ｂから出力されるカウント１信号Ｓ６を受信し、水平同期信号Ｓ１及びカウント１信号Ｓ６が共にＨｉレベルの時に内部バスより分周比ｎを読み込む。そして、水平同期信号Ｓ１がＨｉレベル、かつカウント１信号Ｓ６がＬｏｗレベルの度にカウンタ値をｎ（分周比）から１までデクリメントする。また、カウンタ２０３ａは、水平同期信号Ｓ１のカウンタ値をカウント信号Ｓ５として比較器２０３ｂに出力する。
【００１９】
比較器２０３ｂは、カウンタ２０３ａからカウント信号Ｓ５を受信し、カウンタ信号Ｓ５が‘１’である場合にカウント１信号Ｓ６をＨｉレベルにする。すなわち、カウント１信号Ｓ６がＨｉレベルになるのは、水平同期信号Ｓ１が分周比ｎの数だけカウントされた場合である。カウント１信号Ｓ６は、論理和回路２０３ｃに入力されると共に、カウンタ２０３ａにフィードバックされる。
【００２０】
論理和回路２０３ｃは、比較器２０３ｂからのカウント１信号Ｓ６と、論理積回路２０３ｅからの信号Ｓ７との論理和をとり、その結果をフリップフロップ２０３ｄを介してノイズ警告信号Ｓ３として出力する。論理積回路２０３ｅは、フリップフロップ２０３ｄからフィードバックされたノイズ警告信号Ｓ３と、反転論理積回路２０３ｆからの信号Ｓ８との論理積をとり、その結果を信号Ｓ７として論理和回路２０３ｃに出力する。反転論理積回路２０３ｆは、水平同期信号Ｓ１と、フリップフロップ２０３ｇから出力されるノイズ警告遅延信号Ｓ９との反転論理積をとり、その結果を信号Ｓ８として論理積回路２０３ｅ出力する。切替器２０３ｈは、フリップフロップ２０３ｄからフィードバックされたノイズ警告信号Ｓ３と、フリップフロップ２０３ｇからフィードバックされたノイズ警告遅延信号Ｓ９とを水平同期信号Ｓ１により切り替え、ノイズ警告信号Ｓ３もしくはノイズ警告遅延信号Ｓ９をフリップフロップ２０３ｇを介してノイズ警告遅延信号Ｓ９として出力する。例えば、水平同期信号Ｓ１がＨｉレベル（１）であるときには切替器２０３ｈからノイズ警告信号Ｓ３が出力され、水平同期信号Ｓ１がＬｏｗレベル（０）であるときには切替器２０３ｈからノイズ警告遅延信号Ｓ９が出力される。なお、ノイズ警告遅延信号Ｓ９は、ノイズ警告信号Ｓ３を水平同期信号Ｓ１の１周期分遅らせた信号である。
【００２１】
図５は、ノイズ警告信号生成回路２０３のタイムチャートである。図５において、矢印Ａ〜Ｄで示す各タイミングを基に、図４のノイズ警告信号生成回路２０３の機能を説明する。
まず、矢印Ａで示すタイミングにおいて、カウンタ２０３ａがＨｉレベルの水平同期信号Ｓ１を受信し、カウント値が‘１’になったとする。この時、カウンタ２０３ａからはカウンタ信号Ｓ５として‘１’が出力される。比較器２０３ｂはカウンタ信号Ｓ５を受信し、カウンタ信号Ｓ５が‘１’であることを検出すると、カウント１信号Ｓ６をＨｉレベルに立ち上げる。カウント１信号Ｓ６がＨｉレベルである場合、論理和回路２０３ｃの出力がＨｉレベルとなるため、所定時間遅れてノイズ警告信号Ｓ３がＨｉレベルに立ち上がる。一方、矢印Ａのタイミングで水平同期信号Ｓ１のＨｉレベルが切替器２０３ｈに入力されると、切替器２０３ｈからは矢印Ａのタイミングにおけるノイズ警告信号Ｓ３のレベル、すなわち、Ｌｏｗレベルが選択される。従って、ノイズ警告遅延信号Ｓ９はＬｏｗレベルとなる。
【００２２】
次に、矢印Ｂで示すタイミングにおいて、カウンタ２０３ａがＨｉレベルの水平同期信号Ｓ１を受信すると、比較器２０３ｂからフィードバックされるその時のカウント１信号Ｓ６がＨｉレベルであるから、上述したように分周比ｎが読み込まれる。そして、カウント値が ‘ｎ’に設定され、カウンタ信号Ｓ５として‘ｎ’が出力される。比較器２０３ｂはカウンタ信号Ｓ５を受信し、カウンタ信号Ｓ５が‘ｎ’、すなわち、‘１’でないことを検出すると、カウント１信号Ｓ６をＬｏｗレベルに立ち下げる。また、矢印Ｂのタイミングにおいては、ノイズ警告遅延信号Ｓ９はＬｏｗレベルであるため、反転論理積回路２０３ｆの出力Ｓ８がＨｉレベルとなる。そして、反転論理積回路２０３ｆの出力Ｓ８がＨｉレベルであり、かつノイズ警告信号Ｓ３がＨｉレベルであることから、論理積回路２０３ｅの出力Ｓ７がＨｉレベルとなる。従って、論理和回路２０３ｃの出力がＨｉレベルとなり、ノイズ警告信号Ｓ３のＨｉレベルが維持される。一方、矢印Ｂのタイミングで水平同期信号Ｓ１のＨｉレベルが切替器２０３ｈに入力されると、切替器２０３ｈからは矢印Ｂのタイミングにおけるノイズ警告信号Ｓ３のレベル、すなわち、Ｈｉレベルが選択される。従って、ノイズ警告遅延信号Ｓ９は、ノイズ警告信号Ｓ３の立ち上がりから水平同期信号Ｓ１の１周期分遅れてＨｉレベルに立ち上がる。
【００２３】
次に、矢印Ｃで示すタイミングにおいて、カウンタ２０３ａがＨｉレベルの水平同期信号Ｓ１を受信すると、カウンタ２０３ａのカウント値が‘ｎ−１’になり、カウンタ信号Ｓ５として‘ｎ−１’が出力される。比較器２０３ｂはカウンタ信号Ｓ５を受信し、カウンタ信号Ｓ５が‘ｎ−１’、すなわち、‘１’でないことを検出すると、カウント１信号Ｓ６をＬｏｗレベルに維持する。また、矢印Ｃのタイミングにおいては、ノイズ警告遅延信号Ｓ９はＨｉレベルであり、かつ水平同期信号Ｓ１がＨｉレベルでることから、反転論理積回路２０３ｆの出力Ｓ８がＬｏｗレベルとなる。そして、反転論理積回路２０３ｆの出力Ｓ８がＬｏｗレベルであることから、論理積回路２０３ｅの出力Ｓ７がＬｏｗレベルとなる。従って、論理和回路２０３ｃの出力がＬｏｗレベルとなり、所定時間遅れてノイズ警告信号Ｓ３がＬｏｗレベルに立ち下がる。一方、矢印Ｃのタイミングで水平同期信号Ｓ１のＨｉレベルが切替器２０３ｈに入力されると、切替器２０３ｈからは矢印Ｃのタイミングにおけるノイズ警告信号Ｓ３のレベル、すなわち、Ｈｉレベルが選択される。従って、ノイズ警告遅延信号Ｓ９はＨｉレベルが維持される。
【００２４】
次に、矢印Ｄで示すタイミングにおいて、カウンタ２０３ａがＨｉレベルの水平同期信号Ｓ１を受信すると、カウンタ２０３ａのカウント値が‘ｎ−２’になり、カウンタ信号Ｓ５として‘ｎ−２’が出力される。比較器２０３ｂはカウンタ信号Ｓ５を受信し、カウンタ信号Ｓ５が‘ｎ−２’、すなわち、‘１’でないことを検出すると、カウント１信号Ｓ６をＬｏｗレベルに維持する。また、矢印Ｄのタイミングにおいては、ノイズ警告遅延信号Ｓ９はＨｉレベルであり、かつ水平同期信号Ｓ１がＨｉレベルでることから、反転論理積回路２０３ｆの出力Ｓ８がＬｏｗレベルとなる。そして、反転論理積回路２０３ｆの出力Ｓ８がＬｏｗレベルであることから、論理積回路２０３ｅの出力Ｓ７がＬｏｗレベルとなる。従って、論理和回路２０３ｃの出力がＬｏｗレベルとなり、ノイズ警告信号Ｓ３をＬｏｗレベルに維持する。一方、矢印Ｄのタイミングで水平同期信号Ｓ１のＨｉレベルが切替器２０３ｈに入力されると、切替器２０３ｈからは矢印Ｄのタイミングにおけるノイズ警告信号Ｓ３のレベル、すなわち、Ｌｏｗレベルが選択される。従って、ノイズ警告遅延信号Ｓ９は、ノイズ警告信号Ｓ３の立ち下がりから水平同期信号Ｓ１の１周期分遅れてＬｏｗレベルに立ち下がる。
【００２５】
以降、カウンタ２０３ａのカウント値が‘１’になるまで、ノイズ警告信号Ｓ３及びノイズ警告遅延信号Ｓ９のレベルはＬｏｗレベルが維持される。このようにして、ノイズ警告信号Ｓ３は、水平同期信号Ｓ１を基準に交流化信号Ｓ２のレベル変化点の１水平同期信号前にＨｉレベルになり、交流化信号Ｓ２のレベル変化点の１水平同期信号後にＬｏｗレベルになるように生成される。
【００２６】
〔作用効果〕
本発明の第１実施形態に係る情報処理装置１０００によれば、液晶表示パネル制御回路２００にノイズ警告信号生成回路２０３を新たに追加し、交流化信号Ｓ２が変化するタイミングを検出するノイズ警告信号Ｓ３を生成することで、液晶表示パネル３００の液晶駆動電圧の極性反転に伴う放射ノイズのように、発生のタイミングが周期的、すなわち、発生が事前に予測できるノイズの影響を効果的に回避することができるようになる。これにより、抵抗膜タッチパネル５００における位置座標の検出精度が向上する。
【００２７】
（２）第２実施形態
図６は、本発明の第２実施形態に係る情報処理装置１００１のシステム概略構成図である。本実施形態では、第１実施形態に係る情報処理装置１０００（図１）において、液晶表示パネル制御回路２００内に備えられた交流化信号生成回路２０２とノイズ警告信号生成回路２０３とを、液晶表示パネル３００内へ移設した構成となっている。なお、図６では、従来の情報処理装置１００２及び第１実施形態に係る情報処理装置１０００と同一の構成については、図７及び図１と同一の符号を付してその説明を省略する。
【００２８】
液晶表示パネル制御回路２００は、その内部に水平同期信号生成回路２０１を備えている。液晶表示パネル制御回路２００から液晶表示パネル３００に入力される信号は、水平同期信号生成回路２０１で生成される水平同期信号Ｓ１と、表示用データＳ５と、データ転送用クロックＳ６と、分周比ｎである。
液晶表示パネル３００は、その内部に交流化信号生成回路２０２と、ノイズ警告信号生成回路２０３と、シフトレジスタ３０１と、ラッチ３０２と、ドライバ３０３と、液晶表示部３０４とを備えている。交流化信号生成回路２０２は、水平同期信号Ｓ１を基準として液晶駆動電圧の極性を反転させるための交流化信号Ｓ２を生成し、その交流化信号Ｓ２をドライバ３０３へ送信する。ノイズ警告信号生成回路２０３は、水平同期信号Ｓ１を基準として、液晶駆動電圧の極性が反転するタイミング、すなわち、交流化信号Ｓ２のレベルが変化するタイミングを知らせるノイズ警告信号Ｓ３を生成し、そのノイズ警告信号Ｓ３を抵抗膜タッチパネル制御回路４００へ送信する。なお、ノイズ警告信号生成回路２０３の詳細については、既に第１実施形態で説明した（図４及び図５）のでここでは省略する。シフトレジスタ３０１は、液晶表示パネル制御回路２００からシリアルデータとして送られる表示用データＳ５をパラレルデータに変換する。ラッチ３０２は、水平同期信号Ｓ１を基に１走査線分のパラレルデータを保持する。ドライバ３０３は、ラッチ３０２で保持されたラッチデータに基づき液晶表示部３０４を駆動すると共に、交流化信号生成回路２０２から受信した交流化信号Ｓ２を基に液晶駆動電圧の極性を反転させる。
【００２９】
なお、本実施形態に係る情報処理装置１００１のタイムチャートは、第１実施形態に係る報処理装置１０００のタイムチャート（図２）と同様である。また、本実施形態に係る情報処理装置１００１の位置座標検出フローチャートは、第１実施形態に係る報処理装置１０００の位置座標検出フローチャート（図３）と同様である。
〔作用効果〕
本発明の第２実施形態に係る情報処理装置１００１によれば、液晶表示パネル３００に交流化信号生成回路２０２とノイズ警告信号生成回路２０３とを追加することで、第１実施形態と同様の効果を奏することができる。すなわち、ノイズ警告信号生成回路２０３において交流化信号Ｓ２が変化するタイミングを検出するノイズ警告信号Ｓ３を生成することで、液晶表示パネル３００の液晶駆動電圧の極性反転に伴う放射ノイズのように、発生のタイミングが周期的、すなわち、発生が事前に予測できるノイズの影響を効果的に回避することができるようになる。これにより、抵抗膜タッチパネル５００における位置座標の検出精度が向上する。
【図面の簡単な説明】
【００３０】
【図１】第１実施形態に係る情報処理装置のシステム構成図。
【図２】第１実施形態に係る情報処理装置のタイムチャート。
【図３】第１実施形態に係る情報処理装置の位置座標検出フローチャート。
【図４】第１実施形態に係るノイズ警告信号生成回路の内部構成図。
【図５】第１実施形態に係るノイズ警告信号生成回路のタイムチャート。
【図６】第２実施形態に係る情報処理装置のシステム構成図。
【図７】従来の情報処理装置のシステム構成図。
【図８】従来の情報処理装置における放射ノイズの影響。
【図９】従来の情報処理装置のタイムチャート。
【符号の説明】
【００３１】
１００・・・ＭＰＵ
２００・・・液晶表示パネル制御回路
２０１・・・水平同期信号生成回路
２０２・・・交流化信号生成回路
２０３・・・ノイズ警告信号生成回路
２０３ａ・・・カウンタ
２０３ｂ・・・比較器
２０３ｃ・・・論理和回路
２０３ｄ、２０３ｇ・・・フリップフロップ
２０３ｅ・・・論理積回路
２０３ｆ・・・反転論理積回路
２０３ｈ・・・切替器
３００・・・液晶表示パネル
３０１・・・シフトレジスタ
３０２・・・ラッチ
３０３・・・ドライバ
３０４・・・液晶表示部
４００・・・抵抗膜タッチパネル制御回路
５００・・・抵抗膜タッチパネル
１０００、１００１、１００２・・・情報処理装置
【図１】
2006079405.tif 000003
【図２】
2006079405.tif 000004
【図３】
2006079405.tif 000005
【図４】
2006079405.tif 000006
【図５】
2006079405.tif 000007
【図６】
2006079405.tif 000008
【図７】
2006079405.tif 000009
【図８】
2006079405.tif 000010
【図９】
2006079405.tif 000011